(57)【特許請求の範囲】
【請求項１】
周期的に同期信号を出力する同期信号発生部と、
被写体像を結像するための光学系と、
前記同期信号に基づいて動作し前記光学系を介して結像した被写体像を撮像して画像データを生成する撮像部と、
前記撮像部による撮影動作の開始を指示するトリガ信号を入力するためのトリガ入力部と、
前記同期信号および前記トリガ信号に基づいて前記撮像部の動作を制御する制御部とを備え、
前記制御部は、前記同期信号に同期して動画撮影のために行う、少なくとも前記光学系の設定を含む演算処理である同期処理を制御し、
前記トリガ信号が入力されたとき、前記同期信号発生部による前記同期信号の発生を停止させた後に、再び前記同期信号発生部による同期信号の発生を開始させ、前記撮像部による記録用画像の撮影を開始させる撮像装置であって、
前記トリガ信号が入力されたとき、
前記同期処理が動作している場合、前記同期信号発生部による同期信号の発生を再び開始させる前に、前記同期処理を強制的に初期化することを特徴とする撮像装置。
【請求項２】
前記同期処理には、前記撮像部の動作パラメータ設定をさらに含み、
前記トリガ信号が入力されたとき、
前記同期処理が動作している場合、前記同期信号発生部による同期信号の発生を再び開始させる前、前記撮像部の動作パラメータを初期化するとともに、前記光学系設定の演算処理を強制的に初期化する、請求項１に記載の撮像装置。
【請求項３】
前記トリガ入力部は、前記トリガ信号に先立つ補助トリガ信号を入力可能であり、
前記制御部は、前記補助トリガ信号に応じて前記撮像部による静止画像の撮像を行うための撮影前処理を制御し、前記撮影前処理が終了した後に前記トリガ信号の入力を待機している状態において、前記同期処理の動作期間を、前記撮像前処理が終了していない状態における前記同期処理の動作期間よりも短縮する請求項１に記載の撮像装置。
【請求項４】
周期的に同期信号を出力する同期信号発生部と、
被写体像を結像するための光学系と、
前記同期信号に基づいて動作し前記光学系を介して結像した被写体像を撮像して画像データを生成する撮像部と、
前記撮像部による撮影動作の開始を指示するトリガ信号、および前記トリガ信号に先立つ補助トリガ信号を入力するためのトリガ入力部と、
前記同期信号および前記トリガ信号に基づいて前記撮像部の動作を制御する制御部とを備え、
前記制御部は、前記同期信号に同期して動画撮影のために行う、少なくとも前記光学系の設定を含む演算処理である同期処理、および前記補助トリガ信号に応じて前記撮像部による静止画の撮像を行うための撮影前処理を制御するように構成された撮像装置において、
前記制御部は、前記撮影前処理が終了した後に前記トリガ信号の入力を待機している状態において、前記同期処理の動作期間を、前記撮像前処理が終了していない状態における前記同期処理の動作期間よりも短縮し、前記トリガ入力部から前記トリガ信号が入力されたとき、前記撮像部による記録用画像の撮影を開始させるように制御することを特徴とする撮像装置。
【請求項５】
前記制御部は、前記トリガ信号が入力されたとき、前記撮影前処理が終了していない場合には、前記撮影前処理の終了を待って、前記同期信号の発生を停止する動作を行うように制御する請求項３または４に記載の撮像装置。
【発明の詳細な説明】
【技術分野】
【０００１】
本発明は、メカシャッタもしくは電子シャッタ機能を有する撮像装置に関し、特に外部からトリガがランダムに入力されることによって露光動作を行う撮像装置に関する。
【背景技術】
【０００２】
従来のデジタルスチルカメラ等の撮像装置には、固体撮像素子に対してランダムに入力されるトリガによって、露光動作（以下、「ランダムトリガシャッタ動作」という）を行わせる機能を有するものがある。
【０００３】
図８は、特許文献１に開示されているランダムトリガシャッタ動作を説明するためのタイミングチャートである。（ｃ）は、固体撮像素子の動作モードが、高速ドラフトモード３０から露光モード３１に移行する場合を示す。高速ドラフトモード３０では、撮影している画像を液晶モニタ画面でスルー画像として表示し、露光モード３１では、露光動作を行う。（ｂ）に示す外部トリガ３２の入力に応じて、高速ドラフトモード３０から露光モード３１に移行する。（ａ）は、撮像素子の駆動タイミングとなっている垂直同期信号を示す。
【０００４】
高速ドラフトモード３０で動作している際に、時刻Ｔ０に外部トリガ３２の入力を割り込み処理として検出すると、（ａ）に示すように垂直同期信号をリセットし、時刻Ｔ１に露光モード３１に移行して撮影処理を開始する。外部トリガ３２の入力から露光モード３１に移行する時刻Ｔ０からＴ１までの時間を、以下の説明ではレリーズタイムラグと称する。この従来例では、外部トリガ３２の入力に応じて垂直同期信号をリセットすることにより、レリーズタイムラグを短縮している。
【０００５】
図９は、他の従来例である、特許文献２に開示されているランダムトリガシャッタ動作を説明するためのタイミングチャートである。（ｄ）は、ランダムトリガシャッタ動作が行える状態での動作モードの移行を示す。ランダムトリガシャッタ動作が行える状態に設定されると、まず映像なしモード３３となり、（ｃ）に示す外部トリガ３２が入力されるまで、垂直同期信号（ａ）を停止し、これに伴い撮像素子の入力を読み出すための電荷読み出し信号（図示せず）も停止する。
【０００６】
外部トリガ３２が入力されると、その入力タイミングで、垂直同期信号（ａ）が再開され、水平同期信号（ｂ）がリセットされる。水平同期信号（ｂ）がリセットされると、水平同期信号に同期して発生される、撮像素子をクリアする信号であるシャッタパルスＸＳＵＢ（ｅ）も、水平同期信号のリセットと同タイミングでリセットされる。これにより、シャッタパルスＸＳＵＢは、外部トリガ３２の入力タイミングと同タイミングで発生する。すなわち、外部トリガ３２が入力された時点から露光モード３１が開始されるので、レリーズタイムラグが短縮される。
【特許文献１】特開２００４−０７２３７４号公報
【特許文献２】特開平８−９８０９３号公報
【発明の開示】
【発明が解決しようとする課題】
【０００７】
しかしながら、特許文献１に記載の従来例においては、外部トリガ（ｂ）の入力タイミングと垂直同期信号（ａ）の動作期間が重なると、垂直同期信号を割り込み要因として受け、垂直同期信号割り込み処理として行われている処理があった場合に多重割り込みとなる。そのため、多重割り込みを許可しないシステムでは、垂直同期信号の動作期間分だけ撮影処理に移る時間が延びてしまう。また、多重割り込みを許可するシステムであっても、垂直同期信号の割り込み処理内で行う予定だった処理が、外部トリガによる割り込み処理の後に実行されることになるため、やはり撮影処理に移る時間が延びてしまう。
【０００８】
一方特許文献２に記載の従来例においては、ランダムトリガシャッタ動作が行える状態では、垂直同期信号を停止し電荷読み出しパルスも停止するため、垂直同期信号に同期した処理の影響は受けない。しかし、高速ドラフトモードが動作できないため、外部トリガが入力されるまでは、撮影する画像を確認する事ができない。また、システム全体が垂直同期信号に同期した処理を行っている場合、ランダムトリガシャッタ動作を行う際には動作シーケンスを変更しなければならない。
【０００９】
本発明は、レリーズタイムラグを実用的に十分な程度に短縮し、かつ同期処理の状態にかかわらずレリーズタイムラグの長さの大きな変動が抑制される撮像装置を提供することを目的とする。
【課題を解決するための手段】
【００１０】
本発明の第１の構成の撮像装置は、周期的に同期信号を出力する同期信号発生部と、被写体像を結像するための光学系と、前記同期信号に基づいて動作し前記光学系を介して結像した被写体像を撮像して画像データを生成する撮像部と、前記撮像部による撮影動作の開始を指示するトリガ信号を入力するためのトリガ入力部と、前記同期信号および前記トリガ信号に基づいて前記撮像部の動作を制御する制御部とを備える。前記制御部は、前記同期信号に同期して動画撮影のために行う、少なくとも前記光学系の設定を含む演算処理である同期処理を制御し、前記トリガ信号が入力されたとき、前記同期信号発生部による前記同期信号の発生を停止させた後に、再び前記同期信号発生部による同期信号の発生を開始させ、前記撮像部による記録用画像の撮影を開始させる。前記トリガ信号が入力されたとき、前記同期処理が動作している場合、前記同期信号発生部による同期信号の発生を再び開始させる前に、前記同期処理を強制的に初期化する。
【００１１】
本発明の第２の構成の撮像装置は、周期的に同期信号を出力する同期信号発生部と、被写体像を結像するための光学系と、前記同期信号に基づいて動作し前記光学系を介して結像した被写体像を撮像して画像データを生成する撮像部と、前記撮像部による撮影動作の開始を指示するトリガ信号、および前記トリガ信号に先立つ補助トリガ信号を入力するためのトリガ入力部と、前記同期信号および前記トリガ信号に基づいて前記撮像部の動作を制御する制御部とを備える。前記制御部は、前記同期信号に同期して動画撮影のために行う、少なくとも前記光学系の設定を含む演算処理である同期処理、および前記補助トリガ信号に応じて前記撮像部による静止画の撮像を行うための撮影前処理を制御するように構成される。前記制御部は、前記撮影前処理が終了した後に前記トリガ信号の入力を待機している状態において、前記同期処理の動作期間を、前記撮像前処理が終了していない状態における前記同期処理の動作期間よりも短縮し、前記トリガ入力部から前記トリガ信号が入力されたとき、前記撮像部による記録用画像の撮影を開始させるように制御する。
【発明の効果】
【００１２】
本発明の第１の構成の撮像装置によれば、トリガ信号が入力された時点で同期処理が動作していても、直ちに同期信号を停止させると同時に同期処理を終了させて、撮影準備の処理を開始することができるとともに、撮影準備の処理終了後に同期処理の残りが実行されることなく撮影処理へ移行することができる。それにより、同期処理の状態にかかわらず、レリーズタイムラグを、実用的に十分な程度に短縮することができる。
【００１３】
本発明の第２の構成の撮像装置によれば、トリガ信号が入力される可能性の高い高速ドラフトモード動作時には同期処理の動作期間を短くし、動作期間とトリガ信号のタイミングが重なる確率を低減して、レリーズタイムラグの長さの大きな変動を抑制することができる。
【発明を実施するための最良の形態】
【００１４】
本発明の第１の構成の撮像装置において、前記同期処理には、前記撮像部の動作パラメータ設定をさらに含み、前記トリガ信号が入力されたとき、前記同期処理が動作している場合、前記同期信号発生部による同期信号の発生を再び開始させる前、前記撮像部の動作パラメータを初期化するとともに、前記光学系設定の演算処理を強制的に初期化する構成とすることができる。
また、前記トリガ入力部は、前記トリガ信号に先立つ補助トリガ信号を入力可能であり、前記制御部は、前記補助トリガ信号に応じて前記撮像部による静止画像の撮像を行うための撮影前処理を制御し、前記撮影前処理が終了した後に前記トリガ信号の入力を待機している状態において、前記同期処理の動作期間を、前記撮像前処理が終了していない状態における前記同期処理の動作期間よりも短縮する構成とすることが好ましい。
【００１５】
本発明のいずれかの構成の撮像装置において、前記制御部は、前記トリガ信号が入力されたとき、前記撮影前処理が終了していない場合には、前記撮影前処理の終了を待って、前記同期信号の発生を停止する動作を行うように制御することが好ましい。それにより、オートフォーカス時などの、撮影前処理を行うために同期信号の１サイクルを超える時間が必要な時点にトリガ信号が入力されたときは、同期信号を停止せずに撮影前処理の終了を待つことにより、モニタ画像表示を止めることなく撮影を行う事ができる。
【００１６】
以下、本発明の実施の形態について、図面を参照しながら詳細に説明する。
【００１７】
（実施の形態１）
本発明の実施の形態１における撮像装置は、外部トリガ入力時に、同期信号に同期した同期処理が動作している場合には、同期処理を初期化した後同期信号の動作を停止させることにより、同期処理の実行状態に依らずに、レリーズタイムラグを実用的に十分な程度にまで短縮できるように構成される。
【００１８】
図１は、本発明の実施の形態１における撮像装置の構成を示すブロック図である。図中の実線矢印は画像信号の伝送を意味し、破線矢印は制御信号の伝送を意味する。なお、このブロック図で示される撮像装置の構成は、他の実施の形態にも共通する。
【００１９】
撮像部を構成するＣＣＤイメージセンサ１から出力される撮像信号は、画像プロセッサ２により処理される。画像プロセッサ２が処理した信号は、バッファメモリ３に一時的に記憶される。また、画像プロセッサ２が処理した信号に基づいて、液晶モニタ４により画像が表示される。撮像装置全体の動作は、コントローラ５により制御される。なお、撮像部としては、ＣＣＤイメージセンサ１に限らず、ＣＭＯＳイメージセンサ等を用いることもできる。
【００２０】
ＣＣＤイメージセンサ１は、タイミングジェネレータ６から供給されるタイミングパルスに基づいて、ＣＣＤドライバ７により駆動され、撮像信号を出力する。ＣＣＤイメージセンサ１には、対物レンズ８、ＯＩＳ（Optical image stabiliser）レンズ９、絞り１０、フォーカス調整レンズ１１等からなる光学系を通して光学像が入射され、光電変換が行われる。対物レンズ８、ＯＩＳレンズ９、およびフォーカス調整レンズ１１はそれぞれ、ズームモータ１２、ＯＩＳアクチュエータ１３、フォーカスモータ１４により駆動される。光学系に付随して、ストロボ１５が設けられ、コントローラ５により制御される。
【００２１】
画像プロセッサ２は、撮像信号に対して、前処理、ＹＣ処理、拡大縮小処理、および圧縮符号化等の、少なくとも通常の画像処理を行って、画像データを作成するように構成されている。画像プロセッサ２には、メモリスロット１６が接続されており、メモリカード１７が挿入されて、画像処理されたデータをメモリカード１７に記録することができる。シャッタボタン１８は、コントローラ５を介して撮影を指示する外部トリガを入力するように構成されている。シャッタボタン１８は、ケーブル・レリーズ（遠隔撮影装置）その他の、外部から撮影開始のトリガを入力する装置の一例である。
【００２２】
コントローラ５は、通常、マイクロコンピュータにより構成され、外部トリガの入力や同期信号を割り込みとして受けるとともに、撮影動作全体を統括制御する。タイミングジェネレータ６は、コントローラ５から送られる制御命令によって動作期間と動作間隔を変更した同期信号を、ＣＣＤドライバ７と画像プロセッサ２に出力する。ＣＣＤドライバ７は、タイミングジェネレータ６から入力された同期信号によって、ＣＣＤイメージセンサ１を駆動する為の信号を出力する。
【００２３】
本実施の形態に於ける撮像装置のランダムトリガシャッタ動作について、図２のタイミングチャートを参照して説明する。
【００２４】
図２において、同期信号（ａ）は、ＣＣＤイメージセンサ１の駆動タイミングとなる信号である。同期処理（ｂ）は、コントローラ５が同期処理を行う動作時間を表す。同期処理とは、コントローラ５で行われる動画撮影のための処理であって、同期信号（ａ）に同期してなされる処理である。同期処理は主に演算処理であり、例えば、ＣＣＤイメージセンサ１のパラメータの初期化、絞り値の設定、ＡＦ目標値の設定、ＯＩＳの制御値の設定、画像プロセッサ２の初期化（アドレス設定等）等が含まれる。同期処理の後に撮影される動画は、記録用のものであってもよいし、記録用ではなく表示用のものでもよい。記録用ではなく表示用の動画を、特にスルー画像という。
【００２５】
外部トリガ（ｃ）は、シャッタボタン１８からの入力信号であり、ハーフシャッタトリガ２０と、それに続くフルシャッタトリガ２１の状態からなる。ハーフシャッタトリガ２０は、撮影前処理を開始するタイミングとなる、キーを半分まで押した状態である。フルシャッタトリガ２１は、撮影開始のタイミングとなるキーを深く押した状態である。
【００２６】
撮影前処理（ｄ）は、オートフォーカス（以後ＡＦと略記する）等の、撮影を行う前に実行する撮影前処理の動作時間を表す。撮像前処理とは、ＣＣＤイメージセンサ１による記録用の静止画撮像を行うための前処理である。機械的な処理も含まれ、例えば、絞り１０、ズームモータ１２、ＯＩＳアクチュエータ１３、およびフォーカスモータ１４の駆動、あるいはストロボへの充電等が含まれる。記録静止画用のＡＦ目標値の設定や、ＡＥ目標値の設定等の演算処理も含まれる。
【００２７】
動作モード（ｅ）は、ＣＣＤイメージセンサ１の動作モードを表し、高速ドラフトモード２２、露光モード２３、蓄積した電荷をフレームごとに出力するフレーム読み出しモード２４の３つのモードからなる。従って、露光モード２３が、記録用画像の撮影を行うモードである。シャッタパルスＸＳＵＢ（ｆ）は、ＣＣＤイメージセンサ１に入力され、蓄積されていた電荷を捨てて、再び電荷の蓄積を行うための露光を開始させる。
【００２８】
図２に示す動作モード（ｅ）が高速ドラフトモード２２であるときには、同期信号（ａ）は一定の周期で動作し、同期処理（ｂ）内で高速ドラフトモード時の処理が逐一行われる。外部トリガ（ｃ）が入力されると、まずハーフシャッタトリガ２０の状態では、同期処理（ｂ）内で、高速ドラフトモード時の処理に加えて撮影前処理（ｄ）が行われる。
【００２９】
撮影前処理（ｄ）終了後、同期処理（ｄ）の動作期間に外部トリガ（ｃ）のフルシャッタトリガ２１が割り込みとしてコントローラ５に入力されると、コントローラ５は、同期処理内部のフラグ及び変数の値を初期化して、強制的に動作を終了させ、その後、同期信号（ａ）を停止させる。コントローラ５はさらに、露光等の撮影処理の設定を行い、同期信号（ａ）を再開し、同期処理（ｂ）の動作を開始させると同時に、シャッタパルスＸＳＵＢ（ｆ）を出力する。シャッタパルスＸＳＵＢ（ｆ）の出力により、動作モード（ｅ）が露光モード２３に設定され、撮影処理が開始される。
【００３０】
本実施の形態の撮像装置におけるランダムトリガシャッタ動作の全体の流れを、図３のフローチャートにより示す。図２のタイミングチャート、および図３のフローチャートを参照して、本実施の形態のランダムトリガシャッタ動作について全体の流れに沿って説明する。
【００３１】
図２（ｅ）の高速ドラフトモード２２中にハーフシャッタトリガ２０が入力されると（図３のステップＳ１）、撮影前処理（ｄ）が行われる（ステップＳ２）。撮像前処理終了後、フルシャッタトリガ２１が出力されるまで待機する（ステップＳ３）。
【００３２】
フルシャッタトリガ２１が出力されたときに、コントローラ５は、同期処理（ｂ）が動作中であるかどうかを調べる（ステップＳ４）。同期処理（ｂ）が動作中ならば、同期処理内部のフラグ及び変数の値を書き換えて初期化し、強制的に動作を終了させる（ステップＳ５）。その後、同期信号（ａ）を停止させる（ステップＳ６）。同期処理（ｂ）が動作中でなければ、直ちに同期信号（ａ）を停止させる。その後、露光等の撮影処理の設定を行い（ステップＳ７）、同期信号（ａ）の発信を開始させ、同期処理（ｂ）を動作開始させる（ステップＳ８）。さらに、シャッタパルスＸＳＵＢ（ｆ）を出力し、動作モード（ｅ）を露光モードに設定する事で撮影処理を開始する（Ｓ９）。その後、静止画読み出しを行い（ステップＳ１０）、画像プロセッサ２による画像処理を開始する。
【００３３】
以上のように、本実施の形態では、外部トリガの入力と同時に、同期信号及び同期処理をリセットする処理を行う。従って、同期処理が動作している状態では外部トリガ入力から撮影開始までの時間は、同期処理の終了処理分だけ伸びるが、同期処理の実行状態に依らずに、外部トリガ入力から撮影開始までの時間を実用的に十分な程度にまで短縮することができる。
【００３４】
（実施の形態２）
本発明の実施の形態２における撮像装置は、ハーフシャッタトリガが入力され、かつ撮影前処理が終了しているとき、即ちフルシャッタートリガが入力される可能性が高い状態では、同期処理の動作期間を短くする構成を有する。それにより、外部トリガの入力と同期処理の動作期間が重なる確率を減らして、同期処理を初期化する処理が必要な頻度を少なくし、外部トリガ入力から撮影開始までの時間のばらつきを低減する。
【００３５】
図４は、本実施の形態における撮像装置のランダムトリガシャッタ動作を示すタイミングチャートである。図４（ａ）〜（ｆ）の波形は、図２（ａ）〜（ｆ）と同様の動作のタイミングを示すので、説明の繰り返しは省略する。
【００３６】
本実施の形態における撮像装置の動作について、図４を参照しながら説明する。動作モード（ｅ）が高速ドラフトモード２２の状態では、同期信号（ａ）は一定の周期で動作し、同期処理（ｂ）内で高速ドラフトモード時の処理が逐一行われる。外部トリガ（ｃ）が入力されると、まずハーフシャッタトリガ２０の状態では、同期処理（ｂ）内で、高速ドラフトモード時の処理に加えて撮影前処理（ｄ）が行われる。
【００３７】
撮影前処理（ｄ）終了後、外部トリガ（ｃ）としてフルシャッタトリガ２１が入力されるのを待機する状態では、同期処理（ｂ）の処理内容を少なくする。例えば、絞りやフォーカスの設定を省略できる。撮影前処理でそれらの設定が完了していれば、それ以降の同期処理において設定変更する必要性は低いからである。同期処理（ｂ）の処理内容を少なくすることにより、ハーフシャッタトリガ２０が入力される前から撮影前処理（ｄ）終了までにおける同期処理（ｂ）の動作期間ｔ０に対して、撮影前処理（ｄ）終了後における同期処理（ｂ）の動作期間ｔ１を短くする。
【００３８】
同期処理（ｄ）の動作期間に外部トリガ（ｃ）のフルシャッタトリガ２１が割り込みとしてコントローラ５に入力されると、コントローラ５は、同期処理の初期化を行い、同期信号（ａ）を停止させる。コントローラ５はさらに、露光等の撮影処理の設定を行い、同期信号（ａ）を再開し、同期処理（ｂ）の動作を開始させると同時に、シャッタパルスＸＳＵＢ（ｆ）を出力する。シャッタパルスＸＳＵＢ（ｆ）の出力により、動作モード（ｅ）が露光モード２３に設定され、撮影処理が開始される。
【００３９】
図５は、本実施の形態の撮像装置におけるランダムトリガシャッタ動作の全体の流れを示すフローチャートである。図４のタイミングチャート、および図５のフローチャートを参照して、本実施の形態のランダムトリガシャッタ動作について全体の流れに沿って説明する。但し、実施の形態１における動作を示す図３のフローチャートと同様のステップについては、同一の参照符号を付して、説明の繰り返しを省略する。
【００４０】
図４（ｅ）の高速ドラフトモード２２中にハーフシャッタトリガ２０が入力されると（図５のステップＳ１）、撮影前処理（ｄ）が開始される。撮影前処理（ｄ）の開始後は、同期信号（ａ）が入力されると、撮影前処理（ｄ）が動作中か否かが判断される（ステップＳ１１）。撮像前処理動作中であれば、撮影前処理を完了させて（ステップＳ１２）、撮像前処理動作中でなければ直ちに、次の同期処理（ｂ）の動作期間を短縮する（ステップＳ１３）。その後、フルシャッタトリガ２１が出力されるまで待機する（ステップＳ３）。その後の動作は、図３に示した実施の形態１と同様である。
【００４１】
以上のとおり、本実施の形態では、ハーフシャッタトリガが入力されてから、撮影前処理が終了しているかどうかを判定するステップＳ１１を設ける事によって、ハーフシャッタトリガが入力されており、かつ撮影前処理が終了しているとき、即ちフルシャッタートリガが入力される可能性が高い時は、同期処理の動作期間を短くするステップＳ１３を実行する。それにより、同期処理の実行中にフルシャッタートリガが入力される確率を減らし、同期処理を初期化する処理を行う頻度を低くして、外部トリガ入力から撮影開始までの時間のばらつきを低減する事ができる。
【００４２】
（実施の形態３）
本発明の実施の形態３における撮像装置は、ＡＦ時など、撮影処理を行うために撮影前処理を同期信号の１サイクル以上行う必要がある時点で外部トリガが入力されたときは、直ちに同期信号を停止せずに撮影前処理を終わるまで高速ドラフトモード処理を実行し、撮影前処理が終了した段階で同期信号の動作を止める構成を有する。それにより、外部トリガが入力されていたとしても撮影前処理の終了を待つ間は、ＣＣＤイメージセンサ１を高速ドラフトモードで動かす事が可能であるため、液晶モニタ画面の表示を止めることなく撮影を行う事ができる。
【００４３】
図６は、本実施の形態における撮像装置のランダムトリガシャッタ動作を示すタイミングチャートである。図６（ａ）〜（ｆ）の波形は、図２（ａ）〜（ｆ）と同様の動作のタイミングを示すので、説明の繰り返しは省略する。
【００４４】
本実施の形態における撮像装置の動作について、図６を参照しながら説明する。動作モード（ｅ）が高速ドラフトモード２２の状態では、同期信号（ａ）は一定の周期で動作し、同期処理（ｂ）内で高速ドラフトモード時の処理が逐一行われる。外部トリガ（ｃ）が入力されると、まずハーフシャッタトリガ２０の状態では、同期処理として行われる高速ドラフトモード時の処理と、撮影前処理とが並行してが行われる。
【００４５】
撮影前処理（ｄ）の動作終了までに同期信号（ａ）の１サイクル以上必要な時点で、フルシャッタトリガ２１が割り込みとしてコントローラ５に入力されると、コントローラ５は撮影前処理（ｄ）の終了を待つ。撮影前処理（ｄ）の終了を検知すると、コントローラ５は直ちに同期処理（ｂ）の初期化を行い、同期信号（ａ）を停止させる。そして、露光準備の設定を行い、同期信号（ａ）を動かすと同時にシャッタパルスＸＳＵＢ（ｆ）を出力する。シャッタパルスＸＳＵＢ（ｆ）の出力により、動作モード（ｅ）が露光モード２３に設定され、撮影処理が開始される。
【００４６】
図７は、本実施の形態の撮像装置におけるランダムトリガシャッタ動作の全体の流れを示すフローチャートである。図６のタイミングチャート、および図７のフローチャートを参照して、本実施の形態のランダムトリガシャッタ動作について全体の流れに沿って説明する。但し、実施の形態１における動作を示す図３のフローチャートと同様のステップについては、同一の参照符号を付して、説明の繰り返しを省略する。
【００４７】
図６（ｅ）の高速ドラフトモード２２中にハーフシャッタトリガ２０が入力され（図７のステップＳ１）、さらにフルシャッタトリガ２１が入力されたときに（ステップＳ１４）、撮影前処理（ｄ）動作中か否かが判断される（ステップＳ１５）。撮像前処理動作中であれば、撮影前処理を完了させて（ステップＳ１６）、撮像前処理動作中でなければ直ちに、コントローラ５は、同期処理（ｂ）が動作中であるかどうかを調べる（ステップＳ４）。同期処理（ｂ）が動作中ならば、同期処理内部のフラグ及び変数の値を書き換えて初期化し、強制的に動作を終了させる（ステップＳ５）。その後、同期信号（ａ）を停止させる（ステップＳ６）。同期処理（ｂ）が動作中でなければ、直ちに同期信号（ａ）を停止させる（ステップＳ６）。その後の動作は、図３に示した実施の形態１と同様である。
【００４８】
以上のように本実施の形態は、撮影前処理が終了しているか否かを判断するステップＳ１５を設け、撮影前処理を同期信号の１サイクル以上行う必要がある時点でフルシャッタトリガ２１が入力されたときは、直ちに同期信号を停止せずに撮影前処理を終わるまで高速ドラフトモード処理のステップＳ１６を実行し、撮影前処理が終了した段階で同期信号をリセットする構成を有する。従って、フルシャッタトリガ２１が入力されていたとしても、撮影前処理の終了を待つ間は、液晶モニタ画面の表示を止めることなく撮影を行う事ができる。
【産業上の利用可能性】
【００４９】
本発明によれば、外部トリガ割り込みから実際に撮影動作を行うまでの時間を実用的に十分な程度に短縮することができ、一方、フォーカスが未合焦の状態等で撮影を開始してしまう事を回避できるので、デジタルカメラやカメラ付き携帯電話端末などに適用できる。
【図面の簡単な説明】
【００５０】
【図１】図１は、本発明の実施の形態に於ける撮像装置を示すブロック図である。
【図２】図２は、本発明の実施の形態１に於ける撮像装置の動作を示すタイミングチャートである。
【図３】図３は、同撮像装置の動作を示すフローチャートである。
【図４】図４は、本発明の実施の形態２に於ける撮像装置の動作を示すタイミングチャートである。
【図５】図５は、同撮像装置の動作を示すフローチャートである。
【図６】図６は、本発明の実施の形態３に於ける撮像装置の動作を示すタイミングチャートである。
【図７】図７は、同撮像装置の動作を示すフローチャートである。
【図８】図８は、従来例の撮像装置の動作を示すタイミングチャートである。
【図９】図９は、他の従来例の撮像装置の動作を示すタイミングチャートである。
【符号の説明】
【００５１】
１  ＣＣＤイメージセンサ
２  画像プロセッサ
３  バッファメモリ
４  液晶モニタ
５  コントローラ
６  タイミングジェネレータ
７  ＣＣＤドライバ
８  対物レンズ
９  ＯＩＳ（Optical image stabiliser）レンズ
１０  絞り
１１  フォーカス調整レンズ
１２  ズームモータ
１３  ＯＩＳアクチュエータ
１４  フォーカスモータ
１５  ストロボ
１６  メモリスロット
１７  メモリカード
１８  シャッタボタン
２０  ハーフシャッタトリガ
２１  フルシャッタトリガ
２２  高速ドラフトモード
２３  露光モード
２４  フレーム読み出しモード
３０  高速ドラフトモード
３１  露光モード
３２  外部トリガ
３３  映像無しモード
【図１】
0004881727.tif 000002
【図２】
0004881727.tif 000003
【図３】
0004881727.tif 000004
【図４】
0004881727.tif 000005
【図５】
0004881727.tif 000006
【図６】
0004881727.tif 000007
【図７】
0004881727.tif 000008
【図８】
0004881727.tif 000009
【図９】
0004881727.tif 000010